(57)【要約】【課題】框断面寸法の小型化を図りかつメンテナンス性を向上させることができる錠装置および建具を提供すること。【解決手段】縦框１３における第１中空部１３２の内部にケース体２２が設けられ、スライダ２３のスライド本体部２３１が縦框１３の見込み面部１３７外側に設けられているので、スライダ２３や連動バー２４の取り付け、または取り外しの作業を縦框１３の外側から容易に実施でき、メンテナンス性を向上させることができる。スライダ２３のスライド本体部２３１が縦框１３の見込み面部１３７外側に設けられているので、第１中空部１３２に必要とされるサイズが小さくでき、框材（縦框１３）の断面寸法（見付け寸法や見込み寸法）を小型化することができる。【選択図】図３
2008231832.tif 000002
【特許請求の範囲】
【請求項１】
枠体に開閉自在に支持された面材の施錠および解錠状態を切り替え操作可能に構成された錠装置であって、
前記面材を構成する框材には、当該框材の室内寄りに設けられた中空部と、当該框材の見付け方向一方側に設けられたパネル支持部と、見付け方向他方側に設けられた見込み面部とが形成されており、
前記框材の中空部を構成する框材室内側面部に設けられる錠操作部と、前記中空部の内部に設けられて前記錠操作部の操作伝達部を支持する錠装置本体と、前記錠操作部に連動して前記框材の長手方向にスライド移動可能なスライド体と、このスライド体に連結されて前記見込み面部に沿って移動する連動部材と、この連動部材と係合可能に前記枠体に設けられる錠受けとを備え、
前記スライド体は、前記中空部と反対側の前記見込み面部外側に設けられたスライド本体部と、このスライド本体部から前記中空部内に延びて前記操作伝達部からの操作力を受けるスライド延出部とを有して構成されている錠装置。
【請求項２】
前記連動部材が前記スライド体を挟んで前記框材の長手方向両側に一対で設けられ、各連動部材がスライド本体部に連結されている請求項１に記載の錠装置。
【請求項３】
前記連動部材には、前記スライド体のスライド延出部を挿通させる挿通孔が設けられ、この挿通孔を介して前記スライド延出部が前記中空部内に延び、かつ前記スライド本体部が前記連動部材に連結されている請求項１に記載の錠装置。
【請求項４】
前記框材には、複数の中空部が形成されており、前記錠装置本体が配置される中空部は、前記框材におけるパネル支持部で支持するパネル材の室内側側面よりも室内寄りに形成されている請求項１から請求項３のいずれかに記載の錠装置。
【請求項５】
建物開口部に固定される枠体と、この枠体に開閉自在に支持される面材と、請求項１から請求項４のいずれかに記載の錠装置とを備えた建具。
【発明の詳細な説明】
【技術分野】
【０００１】
本発明は、錠装置および建具に関し、詳しくは、面材の施錠、解錠を切り替え操作可能な各種錠装置のなかでもいわゆるグレモン錠に類する錠装置、この錠装置を備えた建具に関する。
【背景技術】
【０００２】
従来、開き窓や縦辷り出し窓等の建具に設けられる錠装置として、ハンドルを回転することで錠本体がロッドを上下動させ、そのロッドが錠受けに係合して施錠するグレモン錠の取付構造が知られている（例えば、特許文献１参照）。このグレモン錠では、ハンドル、錠本体、杆体およびロッドが障子（面材）の框に取り付けられ、錠受けが窓枠（枠体）に取付けられている。そして、障子の框には、中空部が形成されており、錠本体のスライダは、框の中空部内にスライド自在に設けられ、框の切り欠きを通して杆体と連結されている。
【０００３】
【特許文献１】特許第３４０７２４４号公報
【発明の開示】
【発明が解決しようとする課題】
【０００４】
しかしながら、従来のグレモン錠では、スライダが框の中空部内に支持されているため、このスライダの点検や修理、交換の際に、框からロッドを抜き出さないとスライダや錠本体を取り出すことができず、作業手間を要するという不都合がある。また、スライダを内蔵するために框の中空部に所定の大きさが必要になることから、框の断面寸法を小型化したり、框の内部に互いに分割された複数（例えば、４〜５個以上）の中空部を形成したり、框を補強する補強部材や框同士を接合する接合部材の挿入スペースを確保したりすることが困難になるという不都合もある。
【０００５】
本発明の目的は、框断面寸法の小型化を図りかつメンテナンス性を向上させることができる錠装置および建具を提供することにある。
【課題を解決するための手段】
【０００６】
本発明の錠装置は、枠体に開閉自在に支持された面材の施錠および解錠状態を切り替え操作可能に構成された錠装置であって、前記面材を構成する框材には、当該框材の室内寄りに設けられた中空部と、当該框材の見付け方向一方側に設けられたパネル支持部と、見付け方向他方側に設けられた見込み面部とが形成されており、前記框材の中空部を構成する框材室内側面部に設けられる錠操作部と、前記中空部の内部に設けられて前記錠操作部の操作伝達部を支持する錠装置本体と、前記錠操作部に連動して前記框材の長手方向にスライド移動可能なスライド体と、このスライド体に連結されて前記見込み面部に沿って移動する連動部材と、この連動部材と係合可能に前記枠体に設けられる錠受けとを備え、前記スライド体は、前記中空部と反対側の前記見込み面部外側に設けられたスライド本体部と、このスライド本体部から前記中空部内に延びて前記操作伝達部からの操作力を受けるスライド延出部とを有して構成されていることを特徴とする。
【０００７】
ここで、本発明の錠装置を適用する建具としては、開き窓や縦辷り出し窓等の建具に限らず引違い窓や片引き窓、上げ下げ窓等のサッシ窓であってもよく、また窓に限らずドアや引き戸等であってもよい。また、錠操作部としては、操作ハンドル（レバー）やサムターン、スライドつまみ等が利用可能である。さらに、操作伝達部としては、錠操作部とスライド体とを連動可能に接続するカムやギアなどであってもよく、また錠操作部の操作方向とスライド体のスライド方向が同一であれば、単純な突起等から操作伝達部が構成されていてもよい。また、連動部材としては、各種の連動バーやロッドが利用可能であり、この連動部材と係合する錠受けとしては、枠体に取り付けられた錠受け部材であってもよく、枠体に形成されて連動部材の先端が挿入可能な係合孔であってもよい。
【０００８】
以上の錠装置によれば、スライド本体部を見込み面部外側に設けたことで、スライド体や連動部材の取り付け、または取り外しの作業を外側から容易に実施でき、メンテナンス性を向上させることができる。
また、スライド本体部を見込み面部外側つまり框材の中空部外部に設けたことで、錠装置本体を設置する中空部に必要とされるサイズが小さくでき、框材の断面寸法（見付け寸法や見込み寸法）を小型化することができる。そして、錠装置本体を設置する中空部のサイズが小さくできることで、この中空部以外に框材に複数の中空部を形成することができ、框材の断熱性能を向上させることができる。また、錠装置本体を設置する中空部のサイズが小さくできることで、この中空部に隣接した框材内部空間を拡大することができ、この拡大したスペースに框材を補強する補強部材や框同士を接合する接合部材を挿入するなど、框材の断面寸法を抑えつつ框材内部の用途を拡大することができる。
【０００９】
この際、本発明の錠装置では、前記連動部材が前記スライド体を挟んで前記框材の長手方向両側に一対で設けられ、各連動部材がスライド本体部に連結されていることが好ましい。
また、本発明の錠装置では、前記連動部材には、前記スライド体のスライド延出部を挿通させる挿通孔が設けられ、この挿通孔を介して前記スライド延出部が前記中空部内に延びて、かつ前記スライド本体部が前記連動部材に連結されるものでもよい。
このような構成によれば、分割した一対の連動部材の各々とスライド本体部とが連結されるか、または連動部材の挿通孔にスライド延出部を挿通しかつスライド本体部と連動部材とが連結されることで、スライド体と連動部材との連結作業または取り外し作業が容易にでき、メンテナンス性をさらに向上させることができる。
【００１０】
さらに、本発明の錠装置では、前記框材には、複数の中空部が形成されており、前記錠装置本体が配置される中空部は、前記框材におけるパネル支持部で支持するパネル材の室内側側面よりも室内寄りに形成されていることが好ましい。
この構成によれば、錠装置本体が配置される中空部がパネル材（ガラスパネル等）の室内側側面よりも室内寄りに形成されているので、この中空部とパネル材との見付け方向の干渉がなくなり、つまりパネル材の見込み方向室内側に中空部が重なるように配置することができる。従って、錠装置本体の寸法に応じて中空部の見付け寸法を設定した場合でも、この中空部とパネル材との干渉がなくなることで、パネル支持部と中空部とを含めた框材全体の見付け寸法を小さくすることができる。そして、前述のように、スライド本体部が中空部の外部に設けられていることで、中空部自体の見付け寸法および見込み寸法が小さくできるため、框材全体の断面寸法をより一層小型化することができる。
【００１１】
一方、本発明の建具は、建物開口部に固定される枠体と、この枠体に開閉自在に支持される面材と、前記いずれかの錠装置とを備えたことを特徴とする。
このような建具によれば、前述と同様に、錠装置のメンテナンス性を向上させることができるとともに、面材における框材の断面寸法を小さくすることができる。
【発明を実施するための最良の形態】
【００１２】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１３】
〔第１実施形態〕
図１は、本発明の第１実施形態に係る建具である縦辷り出し窓１を示す外観姿図である。図２は、縦辷り出し窓１を示す縦断面図である。図３および図４は、それぞれ縦辷り出し窓１の要部を示す横断面図である。
図１〜図４において、縦辷り出し窓１は、上枠２、下枠３および左右の縦枠４を四周枠組みした枠体としての窓枠５と、この窓枠５の内部に開閉自在に支持された面材としての障子１０とを有して構成されている。障子１０は、上框１１、下框１２および左右の縦框１３を四周框組みした内部に、パネル材としてのガラスパネル１４を嵌め込んで構成されている。この障子１０は、一方側（図１の左側、図３、４の右側）の縦框１３が室外側に開くように図示しない支持装置を介して窓枠５に支持されている。そして、障子１０は、錠装置としてのグレモン錠２０によって施錠状態と解錠状態とが切り替え可能になっており、このグレモン錠２０は、開放側の縦框１３を、この縦框１３に気密材を介して当接する一方側の縦枠４に係合させることで、閉じた状態の障子１０を施錠し、係合を解除することで解錠できるように構成されている。
【００１４】
障子１０の框材である上框１１、下框１２および縦框１３は、それぞれアルミ形材製または樹脂製の框材本体１１Ａ，１２Ａ，１３Ａと、この框材本体１１Ａ，１２Ａ，１３Ａの室外側に係合してガラスパネル１４を支持するアルミ形材製または樹脂製の押縁材１１Ｂ，１２Ｂ，１３Ｂとを有して構成されている。そして、框材本体１１Ａ，１２Ａ，１３Ａには、押縁材１１Ｂ，１２Ｂ，１３Ｂの室内側に対向して押縁材１１Ｂ，１２Ｂ，１３Ｂとともにガラスパネル１４を挟持するパネル保持部１１１，１２１，１３１が形成されている。すなわち、パネル保持部１１１，１２１，１３１と押縁材１１Ｂ，１２Ｂ，１３Ｂとで各框材の見付け方向内方に開口した凹部１１Ｃ，１２Ｃ，１３Ｃが形成され、この凹部１１Ｃ，１２Ｃ，１３Ｃによって、本実施形態における框材のパネル支持部が構成されている。
【００１５】
さらに、框材の詳細構造について、図４の縦框１３に基づいて説明すると、框材本体１３Ａには、パネル保持部１３１に形成された第１中空部１３２が形成されている。この第１中空部１３２は、後述する錠装置本体が配置される中空部であって、見付け方向に長い略長方形状に形成されるとともに、ガラスパネル１４の室内側側面よりも室内寄りに位置して設けられている。さらに、框材本体１３Ａには、第１中空部１３２の室外側でかつガラスパネル１４の端縁に対して見付け方向外側に位置する第２中空部１３３および第３中空部１３４と、第３中空部１３４の室外側でかつ押縁材１３Ｂに対して見付け方向外側に位置する第４中空部１３５と、この第４中空部１３５の見付け方向外側に隣接する第５中空部１３６とが形成されている。また、框材本体１３Ａは、第３中空部１３４を挟んで凹部１３Ｃと反対側（見付け方向外側）に位置する見込み面部１３７と、第１中空部１３２および第２中空部１３３の見付け方向外側に隣接して後述する連動バーを保持する断面略Ｃ字形のチャンネル部１３８とを有して形成されている。
【００１６】
次に、グレモン錠２０の構造について、図５、図６も参照して詳しく説明する。
図５(Ａ)〜(Ｃ)は、グレモン錠２０を三方から見た側面図であり、図６は、グレモン錠２０を示す斜視図である。
グレモン錠２０は、縦框１３におけるパネル保持部１３１の室内側面部に設けられる錠操作部としての操作ハンドル２１と、第１中空部１３２の内部に設けられて操作ハンドル２１を回動自在に支持する錠装置本体としてのケース体２２と、操作ハンドル２１の回動操作に連動して縦框１３の長手方向にスライド移動可能なスライド体としてのスライダ２３とを備えている。さらに、グレモン錠２０は、スライダ２３に連結されて縦框１３の長手方向に沿って移動する連動部材としての上下一対の連動バー２４と、これらの連動バー２４の先端側や途中の適宜な位置に取り付けられた複数の係合ピン２５と、これらの係合ピン２５にそれぞれ係合可能に縦枠４に固定された複数の錠受け２６とを備えて構成されている。
【００１７】
操作ハンドル２１は、縦框１３に固定されるベース部２１１と、このベース部２１１に回動操作自在に支持されたハンドル本体２１２と、このハンドル本体２１２から室外側に延びて第１中空部１３２内に挿通される回動軸２１３とを有して構成されている。そして、回動軸２１３の先端には、操作伝達部としてのカム２１４が回動軸２１３に対して角穴２１４Ａによって回動不能に連結されている。このカム２１４は、第１中空部１３２内においてケース体２２に回動自在に支持されるとともに、その回動角度が略９０°の範囲に規制されている。そして、カム２１４には、回動軸２１３から縦框１３の見付け方向外方に延びる摺動伝達部２１４Ｂが形成されており、この摺動伝達部２１４Ｂが後述するスライダ２３のスライド延出部２３２と摺動して上下に付勢することで、スライダ２３をスライドさせるように構成されている。
【００１８】
ケース体２２は、縦框１３の框材本体１３Ａにおけるチャンネル部１３８に形成した切り欠きから第１中空部１３２内に挿入されるもので、操作ハンドル２１のベース部２１１とともにパネル保持部１３１の室内側面部に固定される第１支持片部２２１と、この第１支持片部２２１に対向して配置される第２支持片部２２２と、チャンネル部１３８の切り欠き側に設けられてスライダ２３を上下スライド自在に支持するスライド支持部２２３とを有して形成されている。そして、第１支持片部２２１は、前記カム２１４を回動支持するとともに、第１支持片部２２１と第２支持片部２２２との間にカム２１４の摺動伝達部２１４Ｂとスライダ２３のスライド延出部２３２とが挿入されている。また、第１支持片部２２１と第２支持片部２２２との間には、カム２１４に当接してその回動角度を規制する上下一対の角度規制部２２４が設けられている。
【００１９】
スライダ２３は、縦框１３における第１中空部１３２と反対側であり見込み面部１３７およびチャンネル部１３８よりも外側に設けられたスライド本体部２３１と、このスライド本体部２３１から第１中空部１３２内に延びてカム２１４の摺動伝達部２１４Ｂからの操作力を受けるスライド延出部２３２とを有して構成されている。スライド本体部２３１は、全体略長尺板状に形成されるとともに、その上下端部に縦框１３にクランク状に屈曲した屈曲部２３１Ａを有して形成されている。また、スライド延出部２３２は、スライド本体部２３１の上下方向略中央に固定されて縦框１３側に突出するとともに、その先端側が上下に二股状に開いて形成されている。そして、スライド本体部２３１の先端側の二股状内側には、カム２１４の摺動伝達部２１４Ｂと摺動可能な上下一対の被伝達部２３２Ａが設けられている。また、スライド本体部２３１の上下の屈曲部２３１Ａには、縦框１３のチャンネル部１３８内に延びて連動バー２４と係合する係合突起２３１Ｂが設けられている。
【００２０】
連動バー２４は、スライダ２３の上下の係合突起２３１Ｂにそれぞれ係合固定された一対で構成され、縦框１３のチャンネル部１３８に上下スライド自在に支持されている。この連動バー２４は、図４に示すように、チャンネル部１３８に嵌め込んだ状態でその外面が縦框１３の見込み面部１３７と略フラットになるように形成された屈曲断面を有した押出材から構成されている。そして、前記係合ピン２５は、上下の連動バー２４の各々の先端部、つまり上側の連動バー２４の上端部側および下側の連動バー２４の下端部側、および上下の連動バー２４の途中の適宜な位置の複数箇所に固定されている。また、縦枠４に固定した錠受け２６は、操作ハンドル２１の回動操作に伴いスライダ２３を介して連動バー２４および係合ピン２５が施錠位置に移動された状態において、係合ピン２５の室外側に係合して障子１０の室外側への開放移動を規制する位置に設けられている。一方、錠受け２６は、連動バー２４および係合ピン２５が解錠位置に移動された状態で係合ピン２５との係合が外れ、障子１０の規制を解除する位置に設けられている。
【００２１】
なお、本実施形態において、操作ハンドル２１の操作力をスライダ２３に伝達する操作伝達部の構成は、上述のカム２１４に限らず、図７(Ａ)〜（Ｃ）に示すような操作ハンドル２１側の主動ギア２１５と、これに噛み合うスライダ２３側の従動ギア２３３とからなるものでもよい。
すなわち、主動ギア２１５は、複数の歯を有して形成され、ケース体２２の第１支持片部２２１に回動自在に支持されるとともに、ハンドル本体２１２の回動軸２１３に回動不能に連結されている。一方、従動ギア２３３は、スライダ２３のスライド延出部２３２先端に形成された複数の歯からなり、ケース体２２の第１支持片部２２１と第２支持片部２２２との間において、主動ギア２１５と噛み合うように構成されている。このような構成によっても、前述のカム２１４の摺動伝達部２１４Ｂおよびスライド本体部２３１の被伝達部２３２Ａと同様に、操作ハンドル２１の回動操作を主動ギア２１５および従動ギア２３３を介してスライダ２３の上下移動に変換し、スライダ２３および連動バー２４をスライドさせて施錠および解錠が切り替え可能となる。
【００２２】
また、本実施形態において、框材としての上框１１、下框１２および縦框１３は、前述した縦框１３の形態に限らず、図８に示すような断面形状を有したものでもよい。
すなわち、図８において、縦框１３’は、前記縦框１３と略同一の外形形状および断面寸法の框材本体１３Ａ’および押縁材１３Ｂを有して構成されている。框材本体１３Ａ’は、その内部構造が前記框材本体１３Ａと相違しており、具体的には、前記第１〜第５の中空部１３２〜１３６のうち、第１中空部１３２および第５中空部１３６が略同一で、前記第２〜第４の中空部１３３〜１３５に替えてこれらが連続した第６中空部１３９が形成されている。そして、第６中空部１３９には、框材（上框１１、下框１２、縦框１３）を補強する補強部材または框材同士（上框１１と縦框１３、または下框１２と縦框１３）を接合する接合部材１５が挿入されている。なお、図８に示す縦框１３’に設けられるグレモン錠２０は、前述と同一の操作ハンドル２１、ケース体２２、スライダ２３、連動バー２４および係合ピン２５を備えたものである。
【００２３】
このような本実施形態によれば、以下のような効果がある。
（１）すなわち、縦框１３における第１中空部１３２の内部にケース体２２が設けられ、スライダ２３のスライド本体部２３１が縦框１３の見込み面部１３７外側に設けられ、かつスライド延出部２３２が第１中空部１３２内に延びてケース体２２に挿通されているので、ケース体２２や連動バー２４の取り付け、または取り外しの作業を縦框１３の外側から容易に実施でき、メンテナンス性を向上させることができる。従って、工場や建設現場におけるグレモン錠２０の取り付けが容易にでき、製造工程や施工手順を効率化できるとともに、グレモン錠２０の修理や交換の作業性が良好にできる。
【００２４】
（２）そして、スライダ２３のスライド本体部２３１が縦框１３の見込み面部１３７外側に設けられているので、スライド本体部２３１を第１中空部１３２の内部に設けた場合と比較して、第１中空部１３２に必要とされるサイズが小さくでき、縦框１３（および上框１１、下框１２）の断面寸法（見付け寸法や見込み寸法）を小型化することができる。
【００２５】
（３）さらに、ケース体２２を収める第１中空部１３２のサイズが小さくなることで、この第１中空部１３２以外に框材（縦框１３や上框１１、下框１２）に複数の中空部、つまり図３、図４に示す第２〜第５の中空部１３３〜１３６を形成することができ、框材の断熱性能を向上させることができる。また、図８に示すように、第１中空部１３２に隣接した框材内部空間を拡大して第６中空部１３９を形成すれば、この第６中空部１３９に框材同士を接合する接合部材１５を挿入することもでき、框材の断面寸法を抑えつつ框材内部の用途を拡大することができる。第６中空部１３９に框材を補強する補強部材を挿入すれば、框材の断面寸法を抑えつつ、框材の剛性、強度を高めることができる。
【００２６】
（４）また、第１中空部１３２がガラスパネル１４の室内側側面よりも室内寄りに形成され、この第１中空部１３２を有するパネル保持部１３１とガラスパネル１４とが見込み方向に重なって配置されているので、ケース体２２の寸法に応じて第１中空部１３２の見付け寸法を設定した場合でも、この第１中空部１３２とガラスパネル１４との見付け方向の干渉がなくなることで、框材全体の見付け寸法を小さくすることができる。そして、前述のように第１中空部１３２自体のサイズが小さくできることから、框材全体の断面寸法をより一層小型化することができる。
【００２７】
（５）また、スライダ２３の上下で連動バー２４が分割され、それぞれの連動バー２４がスライド本体部２３１の係合突起２３１Ｂに固定されているので、スライダ２３と連動バー２４との固定作業または取り外し作業が容易にでき、メンテナンス性をさらに向上させることができる。さらに、必要に応じて、上側のみの連動バー２４、係合ピン２５および錠受け２６を設置したり、下側のみの連動バー２４、係合ピン２５および錠受け２６を設置したりすることも可能になり、共通部品を用いて錠装置の施錠形態を変更することが可能になる。
【００２８】
〔第２実施形態〕
次に、本発明の第２実施形態を図９〜図１２に基づいて説明する。
図９は、本発明の第２実施形態に係る建具である縦辷り出し窓１Ａの要部を示す横断面図である。図１０(Ａ)〜(Ｃ)は、縦辷り出し窓１Ａに設けられるグレモン錠３０を三方から見た側面図であり、図１１は、グレモン錠３０を示す斜視図である。
本実施形態の縦辷り出し窓１Ａは、障子１０Ａの框材（上框、下框および左右の縦框１６）の断面形状が前記第１実施形態と相違し、さらにグレモン錠３０の構成が前記第１実施形態のグレモン錠２０と相違する他は、前記第１実施形態の縦辷り出し窓１と略同様の構成を備えている。以下、相違点について詳しく説明する。
【００２９】
框材である上框、下框および縦框の詳細構造について、図９の縦框１６に基づいて説明する。縦框１６は、アルミ形材製または樹脂製の框材本体１６Ａと、この框材本体１６Ａの室外側に係合してガラスパネル１４を支持するアルミ形材製または樹脂製の押縁材１６Ｂとを有して構成されている。そして、框材本体１６Ａには、押縁材１６Ｂの室内側に対向して押縁材１６Ｂとともにガラスパネル１４を挟持するパネル保持部１６１が形成されている。すなわち、パネル保持部１６１と押縁材１６Ｂとで形成された凹部１６Ｃによって、本実施形態における框材のパネル支持部が構成されている。框材本体１６Ａには、パネル保持部１６１に形成された第１中空部１６２と、この第１中空部１６２の室外側でかつガラスパネル１４の端縁に対して見付け方向外側に位置する第２中空部１６３と、第２中空部１６３の室外側でかつ押縁材１６Ｂに対して見付け方向外側に位置する第３中空部１６４と、この第３中空部１６４の見付け方向外側に隣接する第４中空部１６５とが形成されている。つまり、本実施形態の框材では、第１中空部１６２が、前記第１実施形態の第１中空部１３２と第２中空部１３３とを連続させた断面略Ｌ字形に形成されている。また、框材本体１６Ａは、第２中空部１６３を挟んで凹部１６Ｃと反対側（見付け方向外側）に位置する見込み面部１６６と、第１中空部１６２の見付け方向外側に隣接する断面略Ｃ字形のチャンネル部１６７とを有して形成されている。
【００３０】
本実施形態のグレモン錠３０は、縦框１６におけるパネル保持部１６１の室内側面部に設けられる錠操作部としての操作ハンドル３１と、第１中空部１６２の内部に設けられて操作ハンドル３１を回動自在に支持する錠装置本体としてのケース体３２と、操作ハンドル３１の回動操作に連動して縦框１６の長手方向にスライド移動可能なスライド体としてのスライダ３３とを備えている。さらに、グレモン錠３０は、スライダ３３に連結されて縦框１６の長手方向に沿って移動する連動部材としての連動バー３４と、この連動バー３４の上下端側に取り付けられた係合ピン（不図示）と、これらの係合ピンにそれぞれ係合可能に縦枠４に固定された一対の錠受け（不図示）とを備えて構成されている。
【００３１】
操作ハンドル３１は、第１実施形態の操作ハンドル２１と略同様のベース部３１１と、ハンドル本体３１２と、回動軸３１３とを有して構成されている。そして、回動軸３１３の先端には、操作伝達部としてのカム３１４が回動軸３１３に対して角穴３１４Ａによって回動不能に連結されている。このカム３１４には、スライダ３３側に延びる摺動伝達部３１４Ｂが形成されており、この摺動伝達部３１４Ｂがスライダ３３の被伝達部３３２Ａと摺動して上下に付勢することで、スライダ３３をスライドさせるように構成されている。
ケース体３２は、第１実施形態のケース体２２と略同様の第１支持片部３２１と、第２支持片部３２２と、スライド支持部３２３と、上下一対の角度規制部３２４とを有して形成されている。そして、第１支持片部３２１と第２支持片部３２２との間にカム３１４の摺動伝達部３１４Ｂが挿入されている。
【００３２】
スライダ３３は、縦框１６における第１中空部１３６と反対側であり見込み面部１６６およびチャンネル部１６７よりも外側に設けられたスライド本体部３３１と、このスライド本体部３３１から第１中空部１６２内に延びてカム３１４の摺動伝達部３１４Ｂからの操作力を受けるスライド延出部３３２とを有して構成されている。スライド本体部３３１は、全体略矩形板状に形成され、スライド延出部３３２は、スライド本体部３３１の上下方向略中央に固定されて縦框１６側に突出するとともに、その先端側が上下に二股状に開いて形成されている。そして、スライド本体部３３１の先端側の二股状内側には、カム３１４の摺動伝達部３１４Ｂと摺動可能な上下一対の被伝達部３３２Ａが設けられている。
連動バー３４は、スライダ３３位置を通って上下に一体で構成され、縦框１６のチャンネル部１６７に上下スライド自在に支持されている。この連動バー３４には、スライダ３３のスライド延出部３３２を挿通させる挿通孔３４１が形成されており、この挿通孔３４１を介してスライド延出部３３２が第１中空部１３６に延びて設置されている。そして、スライド本体部３３１と連動バー３４とは、スライド本体部３３１を見付け方向外側から貫通する２本のビス３３３によって互いに固定されるようになっている。
【００３３】
以上の本実施形態において、操作伝達部の構成は、上述のカム３１４に限らず、図１２(Ａ)〜（Ｃ）に示すような操作ハンドル３１側の主動ギア３１５と、これに噛み合うスライダ３３側の従動ギア３３４とからなるものでもよい。
すなわち、主動ギア３１５は、複数の歯を有して形成され、ケース体３２の第１支持片部３２１に回動自在に支持されるとともに、ハンドル本体３１２の回動軸３１３に回動不能に連結されている。一方、従動ギア３３４は、スライダ３３のスライド延出部３３２先端に形成された複数の歯からなり、主動ギア３１５と噛み合うように構成されている。
【００３４】
以上の本実施形態によれば、前記（１）〜（３）と略同一の効果に加えて以下の効果を得ることができる。
（６）すなわち、連動バー３４が一体の通し部材で形成され、その挿通孔３４１にスライド延出部３３２が挿通されるとともに、スライド本体部３３１と連動バー３４とがビス３３３で固定されているので、縦框１６の見付け方向外側から容易にビス３３３の締め付けや取り外しが実施でき、スライダ３３と連動バー３４との固定作業または取り外し作業を容易にして、メンテナンス性を向上させることができる。そして、第２実施形態のグレモン錠３０では、操作ハンドル３１を取り外さなくても、スライダ３３や連動バー３４の取り外しやメンテナンスが可能となり、メンテナンス性を一層向上させることができる。また、スライダ３３のスライド本体部３３１が縦框１６の外部に設けられているので、スライド本体部３３１の寸法分だけ操作ハンドル３１の回動軸３１３を縦枠４側に寄せることができ、カム３１４やスライド延出部３３２などの操作伝達機構部分に必要な寸法を確保した上で、縦框１６の見付け寸法を小さくすることができる。
【００３５】
なお、本発明は、前記実施形態に限定されるものではなく、本発明の目的を達成できる他の構成等を含み、以下に示すような変形等も本発明に含まれる。
例えば、前記実施形態においては、縦辷り出し窓１，１Ａを例示して説明したが、本発明の建具はこのような縦辷り出し窓１，１Ａに限られず、外開き窓や内開き窓であってもよい。そして、建具が外開き窓の場合には、前記実施形態と同様に障子（面材）の室外側への開放動作が錠装置で規制されて施錠されればよく、建具が内開き窓の場合には、障子の室内側への開放動作が錠装置で規制されて施錠されればよい。
また、本発明の建具は、引違い窓や片引き窓、上げ下げ窓等の面材がスライド開放可能に支持されたものでもよい。このような窓では、面材のスライド動作が錠装置で規制されて施錠されればよい。
さらに、本発明の建具は、上述したような窓に限らず、ドアや引き戸等であってもよい。
【００３６】
また、前記実施形態では、錠装置の錠操作部として、操作ハンドル２１，３１を用いたが、錠操作部としては、操作ハンドルの他にサムターン等の適宜な回動操作可能な部品や、框材の長手方向あるいはその交差方向等の適宜な方向にスライド操作可能なつまみ等が利用可能である。さらに、スライダ（スライド体）のスライド方向と同一方向にスライド操作可能な錠操作部を用いた場合には、操作伝達部としては、スライド体のスライド延出部を係止可能な突起等が利用可能である。
また、前記実施形態では、框材が第１〜第５中空部１３２〜１３６などの複数の中空部を有して形成されていたが、本発明の框材は、内部に錠装置本体を設置可能な少なくとも１つの中空部を有して形成されていればよい。
【００３７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３８】
【図１】本発明の第１実施形態に係る建具を示す外観姿図である。
【図２】前記建具を示す縦断面図である。
【図３】前記建具の要部を示す横断面図である。
【図４】前記建具の要部を示す横断面図である。
【図５】(Ａ)〜(Ｃ)は、前記建具に設けられる錠装置を三方から見た側面図である。
【図６】前記錠装置を示す斜視図である。
【図７】(Ａ)〜（Ｃ）は、前記錠装置の変形例を示す三方から見た側面図である。
【図８】前記実施形態の変形例に係る框材を示す横断面図である。
【図９】本発明の第２実施形態に係る建具の要部を示す横断面図である。
【図１０】(Ａ)〜(Ｃ)は、第２実施形態における錠装置を三方から見た側面図である。
【図１１】前記錠装置を示す斜視図である。
【図１２】(Ａ)〜（Ｃ）は、前記錠装置の変形例を示す三方から見た側面図である。
【符号の説明】
【００３９】
５…枠体である窓枠、１０，１０Ａ…面材である障子、１３，１３’，１６…縦框、１３Ｃ，１６Ｃ…パネル支持部である凹部、１４…パネル材であるガラスパネル、２０，３０…錠装置であるグレモン錠、２１，３１…錠操作部である操作ハンドル、２２，３２…錠装置本体であるケース体、２３，３３…スライド体であるスライダ、２４，３４…連動部材である連動バー、２６…錠受け、１３２，１６２…中空部である第１中空部、１３７，１６６…見込み面部、２１４，３１４…操作伝達部であるカム、２１５，３１５…操作伝達部である主動ギア、２３１，３３１…スライド本体部、２３２，３３２…スライド延出部、３４１…挿通孔。
【図１】
2008231832.tif 000003
【図２】
2008231832.tif 000004
【図３】
2008231832.tif 000005
【図４】
2008231832.tif 000006
【図５】
2008231832.tif 000007
【図６】
2008231832.tif 000008
【図７】
2008231832.tif 000009
【図８】
2008231832.tif 000010
【図９】
2008231832.tif 000011
【図１０】
2008231832.tif 000012
【図１１】
2008231832.tif 000013
【図１２】
2008231832.tif 000014